【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
上部に設けられたガイドレール（７）と、該ガイドレール（７）に沿って前後に並んで通る多数の滑車（８）と、該各滑車（８）の下方に設けられた滑車付きパイプ（１１）と、前後に並ぶ２つの滑車付きパイプ（１１、１１）の間に配置されて上部に滑車を有しないパイプ（１０または１２）であってサイドパイプカーテン（１４）を展開した際には所定の滑車付きパイプ（１１）を基準として前後一対に配置されサイドパイプカーテンを収納した際には所定の滑車付きパイプ（１１）を基準として左右一対に配置されるパイプ（１０および１２）と、上記滑車付きパイプ（１１）を通すジョイント（５）と前記一対のパイプ（１０および１２）をそれぞれ通す一対のジョイント（４および６）とを有し上記滑車付きパイプ（１１）と前記一対のパイプ（１０および１２）とを繋ぐように前記ジョイント（４、５および６）を連結するフレーム（１）と、該フレーム（１）に組み込まれる樹脂パネル（２）とからなり、サイドパイプカーテンの折り畳み収納の際に前記一対のパイプ（１０および１２）をそれぞれ枢軸として前記樹脂パネル（２）が組み込まれたフレーム（１）毎に山へ谷へと折れて一定方向に折り畳まれるサイドパイプカーテン（１４）において、
前記フレーム（１）の一方の端部に設けられたパイプ（１０）の上部にのみ振れ止め防止ローラー（９）を設け、他方の端部に設けられたパイプ（１２）の上部には振れ止め防止ローラー（９）を設けず、
ガイドレール（７）の片側に一体化されて前記振れ止め防止ローラー（９）にのみ当たる案内板（１３）を備え、
サイドパイプカーテン（１４）の折り畳みの際に前記振れ止め防止ローラー（９）が案内板（１３）に当たって一定方向に折り畳むことができることを特徴としたサイドパイプカーテン。
【請求項２】
各フレーム（１）に、樹脂パネル（２）を組み込むためのストッパー（３）を設け、フレーム（１）の片面だけに樹脂パネル（２）を挟み込んでおり、
上記フレーム（１）に連結されたジョイント（４、５、６）は、前記一対のパイプの一方（１０）を通すジョイント（４）と滑車付きパイプ（１１）を通すジョイント（５）とがそれらの中心からずれてフレームの芯上となり、前記一対のパイプの他方（１２）を通すジョイント（６）がその中心からずれてフレームの芯下にそれぞれ配置されており、
サイドパイプカーテンの折り畳み収納の際に、前記樹脂パネル（２）が組み込まれたフレーム（１）毎に山へ谷へと折れて収納スペースを小さくしたことを特徴とする請求項１に記載のサイドパイプカーテン。
【手続補正２】
【補正対象書類名】明細書
【補正対象項目名】全文
【補正方法】変更
【補正の内容】
【発明の詳細な説明】
【発明の名称】サイドパイプカーテン
【技術分野】
【０００１】
本発明は、収納動作の効率化、収納スペース減少を図ったサイドパイプカーテンの改良に関する。
【背景技術】
【０００２】
従来のパイプカーテンには、上部ガイドレールの上下２段の第２支柱と第１支柱間にフリーのパイプ支柱を間装し、各支柱を連結するジョイントバーにフリーのパイプ支柱を直交状に取付け、第１支柱と第２支柱を枢軸としてシャッターを折畳むようにした横引シャッター装置がある。
【特許文献１】特開平１０−１９６２４５公報  ［０００５］の記載および図１から図４参照
【発明の開示】
【発明が解決しようとする課題】
【０００３】
以上に述べた従来のパイプシャッターでは、パイプの上下のたわみや左右のずれが生じるため収納時にスムーズに動かず、重く困難になる上、収納スペースが多く取られるという問題があった。
【０００４】
本発明は、このような従来の構成が有していた問題を解決しようとするものであり、収納時の煩わしさを解消し、店舗スペースを確保する薄型のパイプカーテンを実現することを目的とする。
【課題を解決するための手段】
【０００５】
本発明は、上記目的を達成するために、ガイドレールの片側に案内板を一体化させ、折り畳みの際のふれ止め防止ローラーの案内板を設けたものである。
即ち、請求項１の発明では、
上部に設けられたガイドレール７と、該ガイドレール７に沿って前後に並んで通る多数の滑車８と、該各滑車８の下方に設けられた滑車付きパイプ１１と、前後に並ぶ２つの滑車付きパイプ１１、１１の間に配置されて上部に滑車を有しないフリーの１本のパイプ１０または１２であってサイドパイプカーテン１４を展開した際には所定の滑車付きパイプ１１を基準として前後一対に配置されサイドパイプカーテンを収納した際には所定の滑車付きパイプ１１を基準として左右一対に配置されるパイプ１０および１２と、上記滑車付きパイプ１１を通すジョイント５と前記一対のパイプ１０および１２をそれぞれ通す一対のジョイント４および６とを有し上記滑車付きパイプ１１と前記一対のパイプ１０および１２とを繋ぐように前記ジョイント４、５および６を連結するフレーム１と、該フレーム１に組み込まれる樹脂パネル２とからなり、サイドパイプカーテンの折り畳み収納の際に前記一対のパイプ１０および１２をそれぞれ枢軸として前記樹脂パネル２が組み込まれたフレーム１毎に山へ谷へと折れて一定方向に折り畳まれるサイドパイプカーテン１４において、
前記フレーム１の一方の端部に設けられたパイプ１０の上部にのみ振れ止め防止ローラー９を設け、他方の端部に設けられたパイプ１２の上部には振れ止め防止ローラー９を設けず、
ガイドレール７の片側に一体化されて前記振れ止め防止ローラー９にのみ当たる案内板１３を備え、
サイドパイプカーテン１４の折り畳みの際に前記振れ止め防止ローラー９が案内板１３に当たって一定方向に折り畳むことができるようにしたことを特徴とする。
【０００６】
また、この発明では、パイプを繋ぐフレームに、樹脂パネルを組み込めるようにストッパーを設け、片面だけに樹脂パネルを挟み込むと共に、折り畳み収納スペースをより小さくするため、フレームと樹脂パネルを薄く軽量にし、ジョイントに中心位置変化構造を設けたものである。
即ち、請求項２の発明では、
各フレーム１に、樹脂パネル２を組み込むためのストッパー３を設け、フレーム１の片面だけに樹脂パネル２を挟み込んでおり、
上記フレーム（１）に連結されたジョイント（４、５、６）は、前記一対のパイプの一方（１０）を通すジョイント（４）と滑車付きパイプ（１１）を通すジョイント（５）とがそれらの中心からずれてフレームの芯上となり、前記一対のパイプの他方（１２）を通すジョイント（６）がその中心からずれてフレームの芯下にそれぞれ配置されており、
サイドパイプカーテンの折り畳み収納の際に、前記樹脂パネル２が組み込まれたフレーム１毎に山へ谷へと折れて収納スペースを小さくしたことを特徴とする。
【発明の効果】
【０００７】
上述したように本発明のサイドパイプカーテンは、パイプの上下のたわみや左右のずれを抑えることができ、収納動作が一定方向にスムーズに行える。
【０００８】
また、パイプカーテンの折り畳み収納スペースが、より小さくなる効果を発揮するものである。
【０００９】
さらに、樹脂パネルを組み込むことによって、たばこの投げ入れ防止等、防火対策効果が得られる。
【発明を実施するための最良の形態】
【００１０】
以下、本発明のサイドパイプカーテンの実施の形態を図１〜図３に基づいて説明する。
【実施例１】
【００１１】
図においては、１はパイプ１０、１１、１２を繋ぐフレームで、樹脂パネル２が組み込まれている。７のガイドレールにはパイプ１１上方の滑車８が通る。
パイプ１０上部の振れ止め防止ローラー９が案内板１３に当たる。
【００１２】
換言すると、サイドパイプカーテン１４は、上部に設けられたガイドレール７と、該ガイドレール７に沿って前後に並んで通る多数の滑車８と、該各滑車８の下方に設けられた滑車付きパイプ１１と、前後に並ぶ２つの滑車付きパイプ１１、１１の間に配置されて上部に滑車を有しないフリーの１本のパイプ１０または１２を有している。
【００１３】
そして、上記パイプ１０および１２は、サイドパイプカーテン１４を展開した際には所定の滑車付きパイプ１１を基準として前後一対に配置され、サイドパイプカーテン１４を収納した際には所定の滑車付きパイプ１１を基準として左右一対に配置される。
【００１４】
そして、フレーム１は、上記滑車付きパイプ１１を通すジョイント５と、前記一対のパイプの一方１０を通すジョイント４と、一対のパイプの他方１２を通すジョイント６とを有し、上記滑車付きパイプ１１と前記一対のパイプ１０および１２とを繋ぐように前記ジョイント４、５および６を連結しており、該フレーム１には樹脂パネル２が組み込まれている。
【００１５】
これにより、サイドパイプカーテン１４を折り畳んで収納する際には、従来のパイプカーテンと同様に、前記滑車付きパイプ１１をフリーとし、一対のパイプ１０および１２をそれぞれ枢軸として前記フレーム１および樹脂パネル２が山へ谷へと折れて折り畳まれる(図３参照）。
【００１６】
前記フレーム１の一方の端部に設けられたパイプ１０の上部には振れ止め防止ローラー９が設けられ、他方の端部に設けられたパイプ１２の上部には振れ止め防止ローラー９は設けられない。
ガイドレール７の片側には、一体化されて前記振れ止め防止ローラー９にのみ当たる案内板１３が設けられている。
【００１７】
従って、サイドパイプカーテンを押して折り畳む際に、ガイドレール７を滑車８が通り、パネルが山へ谷へと折れていくが、前記振れ止め防止ローラー９を有するパイプ１０が予定された方向と反対の方向に振れようとすると案内板１３により動きが規制され、振れ止め防止ローラー９の無いパイプ１２は案内板１３による制約を受けずに変位することができるので、収納動作をスムーズに行える。
【００１８】
次ぎに、前記フレーム１は図２のような形状で、樹脂パネル２を組み込むストッパー３が片面にのみ設けれている。
パイプ１０、１１，１２を通すジョイントは、４、５が芯上に６は芯下にそれぞれ中心からずれて形成されている。
【００１９】
即ち、フレーム１に連結されたジョイント４、５、６は、前記前方のパイプ１０を通すジョイント４と、前記滑車付きパイプ１１を通すジョイント５とがフレームの中心からずれて芯上となり、前記後方のパイプ１２を通すジョイント６がフレーム１の中心からずれて芯下にそれぞれ配置されている（図２参照）。
これにより、サイドパイプカーテンの折り畳みの際に、収納スペースが小さくなる。
【図面の簡単な説明】
【００２０】
【図１】サイドパイプカーテンの実施例の折り畳み状態における側面図である。
【図２】１枚のフレームのＡ−Ａ線断面図である。
【図３】サイドパイプカーテンのＢ−Ｂ線の横断面図である。
【符号の説明】
【００２１】
１ フレーム
２ 樹脂パネル
３  ストッパー
４、５、６  ジョイント
７  ガイドレール
８  滑車
９ 振れ止め防止ローラー
１０、１２  滑車の付かないパイプ
１１  滑車付きパイプ
１３  案内板
１４  サイドパイプカーテン
【手続補正３】
【補正対象書類名】図面
【補正対象項目名】図２
【補正方法】変更
【補正の内容】
【図２】
2005030180.tif 000001